(57)【要約】【課題】白色表示を行う際の低消費電力化を実現する表示装置を提供する。【解決手段】表示装置１であって、発光機能を有する第１の表示手段１０と、第１の表示手段１０の視認側に重ねて配置され、電界を制御することにより、白色表示ＷＨが可能な第２の表示手段２０と、第１の表示手段１０の発光領域Ｄ１と第２の表示手段２０の駆動領域Ｄ２（ｄ２１，ｄ２２）とが重ねて配置された重ね領域で、白色表示ＷＨを行う場合、第１の表示手段１０の発光領域Ｄ１をオフ状態にし、第２の表示手段２０の駆動領域Ｄ２（ｄ２１，ｄ２２）で白色表示ＷＨを行うように制御する表示制御手段と、を備えるものである。【選択図】図５
2019117268.tif 000002
【特許請求の範囲】
【請求項１】
発光機能を有する第１の表示手段と、
前記第１の表示手段の視認側に重ねて配置され、電界を制御することにより、白色表示が可能な第２の表示手段と、
前記第１の表示手段の発光領域と前記第２の表示手段の駆動領域とが重ねて配置された重ね領域で、白色表示を行う場合、前記第１の表示手段の前記発光領域をオフ状態にし、前記第２の表示手段の前記駆動領域で白色表示を行うように制御する表示制御手段と、を備える、
ことを特徴とする表示装置。
【請求項２】
前記第１の表示手段は、発光性の有機化合物を含む有機発光層を有し、
前記第２の表示手段は、高分子分散型液晶を含む液晶層を有する、
ことを特徴とする請求項１に記載の表示装置。
【請求項３】
前記表示制御手段は、前記第１の表示手段の発光領域に、前記第２の表示手段の駆動領域が重ねて配置されていない非重ね領域で白色表示を行う場合、前記第１の表示手段の発光領域で白色表示を行うように制御する、
ことを特徴とする請求項１又は２に記載の表示装置。
【請求項４】
照度を検出する照度検出手段を備え、
前記表示制御手段は、
前記照度検出手段により検出された照度が、所定値以上である場合、前記第１の表示手段の前記発光領域をオフ状態にし、前記第２の表示手段の前記駆動領域で白色表示を行うように制御する、
ことを特徴とする請求項１から３までのいずれか１項に記載の表示装置。
【請求項５】
前記表示制御手段は、前記照度検出手段により検出された照度が、所定値未満である場合、前記第１の表示手段の前記発光領域で白色表示を行い、前記第２の表示手段の前記駆動領域を透過状態にするように制御する、
ことを特徴とする請求項４に記載の表示装置。
【請求項６】
第１の表示手段と、前記第１の表示手段の視認側に重ねて配置された第２の表示手段と、を備える表示装置の制御方法であって、
前記第１の表示手段は、発光機能を有するものであり、
前記第２の表示手段は、電界を制御することにより、白色表示が可能なものであり、
表示制御手段は、
前記第１の表示手段の発光領域と前記第２の表示手段の駆動領域とが重ねて配置された重ね領域で、白色表示を行う場合、前記第１の表示手段の前記発光領域をオフ状態にし、前記第２の表示手段の前記駆動領域で白色表示を行うように制御する、
ことを特徴とする表示装置の制御方法。
【請求項７】
第１の表示手段と、前記第１の表示手段の視認側に重ねて配置された第２の表示手段と、を備える表示装置の制御用のプログラムであって、
前記第１の表示手段は、発光機能を有するものであり、
前記第２の表示手段は、電界を制御することにより、白色表示が可能なものであり、
コンピュータに、
前記第１の表示手段の発光領域と前記第２の表示手段の駆動領域とが重ねて配置された重ね領域で、白色表示を行う場合、前記第１の表示手段の前記発光領域をオフ状態にし、前記第２の表示手段の前記駆動領域で白色表示を行うように制御する制御機能、を実現させる、
ことを特徴とするプログラム。
【発明の詳細な説明】
【技術分野】
【０００１】
本発明は、表示装置、表示装置の制御方法及びプログラムに関するものである。
【背景技術】
【０００２】
近年、有機ＥＬパネルなどの自発光型パネルは、テレビ、モニタ、タブレットコンピュータ、スマートフォン、時計、携帯ゲーム機などの多くの表示装置に用いられている。この自発光型パネルは、発光に必要な電圧が低いため、低消費電力であり、また、自発光を停止すると、不要な色が表示されず、黒色も明確に表示できる高いコントラスト比を有するなどの特徴がある。
【０００３】
そして、特許文献１には、有機ＥＬパネルの上に、電界の印加状態に応じて透過光の偏光状態や散乱強度が変化する液晶パネルを積層した表示装置が記載されている。
【先行技術文献】
【特許文献】
【０００４】
【特許文献１】特開２００２−０７２２０７号公報
【発明の概要】
【発明が解決しようとする課題】
【０００５】
しかしながら、特許文献１に記載の表示装置では、白色表示を行う際に、下層の有機ＥＬパネルをオン状態にして白色に発光させるとともに、上層の液晶パネルをオン状態にして、下層からの光を透過可能にする必要があるため、表示装置としての消費電力が増大してしまう。
【０００６】
そこで、本発明は、上記事情に鑑みてなされたものであり、白色表示を行う際の低消費電力化を実現する表示装置、表示装置の制御方法及び制御用のプログラムを提供することを目的とする。
【課題を解決するための手段】
【０００７】
上記目的を達成するために、本発明は、以下の構成によって把握される。
本発明の表示装置は、発光機能を有する第１の表示手段と、前記第１の表示手段の視認側に重ねて配置され、電界を制御することにより、白色表示が可能な第２の表示手段と、前記第１の表示手段の発光領域と前記第２の表示手段の駆動領域とが重ねて配置された重ね領域で、白色表示を行う場合、前記第１の表示手段の前記発光領域をオフ状態にし、前記第２の表示手段の前記駆動領域で白色表示を行うように制御する表示制御手段と、を備えるものである。
【０００８】
本発明の表示装置の制御方法は、第１の表示手段と、前記第１の表示手段の視認側に重ねて配置された第２の表示手段と、を備える表示装置の制御方法であって、前記第１の表示手段は、発光機能を有するものであり、前記第２の表示手段は、電界を制御することにより、白色表示が可能なものであり、表示制御手段は、前記第１の表示手段の発光領域と前記第２の表示手段の駆動領域とが重ねて配置された重ね領域で、白色表示を行う場合、前記第１の表示手段の前記発光領域をオフ状態にし、前記第２の表示手段の前記駆動領域で白色表示を行うように制御するものである。
【０００９】
本発明の表示装置制御用のプログラムは、第１の表示手段と、前記第１の表示手段の視認側に重ねて配置された第２の表示手段と、を備える表示装置の制御用のプログラムであって、前記第１の表示手段は、発光機能を有するものであり、前記第２の表示手段は、電界を制御することにより、白色表示が可能なものであり、コンピュータに、前記第１の表示手段の発光領域と前記第２の表示手段の駆動領域とが重ねて配置された重ね領域で、白色表示を行う場合、前記第１の表示手段の前記発光領域をオフ状態にし、前記第２の表示手段の前記駆動領域で白色表示を行うように制御する制御機能、を実現させるものである。
【発明の効果】
【００１０】
本発明によれば、白色表示を行う際の低消費電力化を実現する表示装置、表示装置の制御方法及び制御用のプログラムを提供することができる。
【図面の簡単な説明】
【００１１】
【図１】実施形態の表示装置の構成を示すブロック図である。
【図２】実施形態の表示装置の構成を示す概略断面図である。
【図３】実施形態の表示装置の、（ａ）有機ＥＬパネル、（ｂ）液晶パネルを示す概略平面図である。
【図４】実施形態の液晶パネルの、（ａ）オン状態（透過状態）、（ｂ）オフ状態を示す概略断面図である。
【図５】実施形態の表示装置の表示状態を示す概略図である。
【図６】実施形態の表示装置の表示制御動作を示すフローチャートである。
【図７】実施形態の表示装置の他の表示制御動作を示すフローチャートである。
【発明を実施するための形態】
【００１２】
以下、図面を参照して本発明を実施するための形態（以下、実施形態）について詳細に説明する。なお、本明細書の実施形態においては、全体を通じて、同一の要素には同一の符号を付している。
図１は、実施形態の表示装置１の構成を示すブロック図である。図２は、実施形態の表示装置１の構成を示す概略断面図である。図３は、実施形態の表示装置１の、（ａ）有機ＥＬパネル１０、（ｂ）液晶パネル２０を示す概略平面図である。図４は、実施形態の液晶パネル２０の、（ａ）オン状態（透過状態ＴＲ）、（ｂ）オフ状態を示す概略断面図である。
【００１３】
図１に示すように、表示装置１は、時計機能、位置表示（ＧＰＳ）機能など各種機能に応じた表示を行うように、第１の表示手段としての有機ＥＬパネル１０及び第２の表示手段としての液晶パネル２０を備えるもので、時計（スマートウォッチ）として構成されている。ただし、表示装置１は、テレビ、モニタ、スマートフォンやタブレットやパソコンなど一般的なものであってもよい。
【００１４】
また、表示装置１は、その筐体が略円盤状に形成されており、視認側である表面に液晶パネル２０を備え、背面側に有機ＥＬパネル１０を備えている（図２参照）。また、表示装置１は、筐体内部に、中央演算処理装置（ＣＰＵ）３０、記憶手段４０、表示制御手段５０、電源６０などを備えている。
【００１５】
有機ＥＬパネル１０は、図３（ａ）に示すように、自発光機能を有する発光領域Ｄ１が形成されたもので、例えば、赤色、緑色及び青色（ＲＧＢ）の各色を発光させるため、各色に応じて選択した発光性の有機化合物を含む有機発光層ＬＬを有するものなどである。なお、本実施形態では、有機ＥＬパネル１０は、縁を除いたほぼ全面が発光領域Ｄ１であり、複数の微小な画素で形成されている。
【００１６】
この有機ＥＬパネル１０は、ガラス製の透明な基板１１と、陽極となるＩＴＯ透明電極１２と、正孔輸送層１３と、各色の有機発光層ＬＬと、電子輸送層１５と、陰極１６と、を備えている、フルカラー型の一般的な構造のものである（図２参照）。このような有機ＥＬパネル１０の消費電力Ｗ１は、比較的低いものである。
【００１７】
そして、有機ＥＬパネル１０は、電源６０からの電圧をＩＴＯ透明電極１２と陰極１６との間に印加すること（オン状態）で、ＲＧＢの各色をそれぞれ発光させることができる。そして、有機ＥＬパネル１０は、ＲＧＢの各色をすべて同時に発光させることで、発光領域Ｄ１で少なくとも白色表示ＷＨを行うことができる。なお、図３（ａ）の状態は、電圧が印加されていないオフ状態のものであり、全面が黒色表示ＢＬになっている。
【００１８】
一方、液晶パネル２０は、図３（ｂ）に示すように、光を拡散又は透過させる駆動領域Ｄ２が部分的に形成されたもので、例えば、高分子分散型液晶（Ｐｏｌｙｍｅｒ  Ｄｉｓｐｅｒｓｅｄ  Ｌｉｑｕｉｄ  Ｃｒｙｓｔａｌ）を含む液晶層ＣＬを有する捻れネマティック（Ｔｗｉｓｔｅｄ  Ｎｅｍａｔｉｃ）型の透過型のものであるが、これに限らず、動的散乱型液晶、相転移型液晶、ゲストホスト型液晶であってもよい。この液晶パネル２０は、駆動領域Ｄ２の以外の部分は、光を透過可能で、背面側の有機ＥＬパネル１０を視認可能な透明な材料で形成されている。
【００１９】
液晶パネル２０は、ガラス製の透明な基板２１と、透明なＩＴＯ共通電極２２と、液晶層ＣＬと、透明なＩＴＯ画素電極２４と、ガラス製の透明な基板２５と、最表面の偏光板２６と、を備えている、一般的な構造のものである（図２参照）。ただし、偏光板２６は、場合によっては備えなくてもよい。
【００２０】
なお、本実施形態では、駆動領域Ｄ２は、例えば、７×１７のドットマトリックス模様の駆動領域ｄ２１と、例えば、４桁の７セグメントデジタル模様の駆動領域ｄ２２とで形成されている。このとき、駆動領域ｄ２１では、例えば、文字、記号、簡易図形などの表示ができ、駆動領域ｄ２２では、時刻（時分秒）などの表示ができる。
【００２１】
そして、液晶パネル２０は、電源６０からの電圧をＩＴＯ共通電極２２とＩＴＯ画素電極２４との間に印加する（オン状態）ことで、電界を制御して、液晶層ＣＬの液晶を電界方向に配向させ、背面側から光を透過させることができる。つまり、液晶パネル２０は、駆動領域Ｄ２がオン状態にされると、液晶が電界に沿って配向するために、液晶層ＣＬが光を透過させる透過状態ＴＲとなり（図４（ａ）参照）、有機ＥＬパネル１０の表示（光）を透過させることになる。一方、液晶パネル２０は、駆動領域Ｄ２がオフ状態にされると、液晶が配向性を失うため、液晶層ＣＬは、外部からの光を拡散又は散乱させることで（図４（ｂ）参照）、白色表示ＷＨが可能となる。なお、図３（ｂ）の状態は、電圧が印加されていないオフ状態のものであり、駆動領域Ｄ２が白色表示ＷＨになっており、灰色に塗りつぶされた部分は、実際には透明な材料である（この部分も透過状態ＴＲに含まれる。）。
【００２２】
ところで、表示装置１は、有機ＥＬパネル１０の視認側に液晶パネル２０を重ねて配置しているため、有機ＥＬパネル１０の発光領域Ｄ１と液晶パネル２０の駆動領域Ｄ２（ｄ２１，ｄ２２）とが重なる重ね領域と、有機ＥＬパネル１０の発光領域Ｄ１と液晶パネル２０の駆動領域Ｄ２（ｄ２１，ｄ２２）とが重ならない非重ね領域とが形成されることになる。ただし、重ね領域は、駆動領域Ｄ２（ｄ２１，ｄ２２）と一致することになる。
【００２３】
つぎに、ＣＰＵ３０は、電源６０からの電力供給によって動作し、記憶手段４０内の制御用プログラムなどの各種プログラムに応じて、表示装置１の全体動作を制御するものである。例えば、時計機能を使用する場合、データを出力したり、表示用の信号を出力したりする。
【００２４】
また、ＣＰＵ３０は、後述する表示装置１の制御動作において、各種手段が実行する機能を実現するように、表示装置１（コンピュータ）を構成している。
【００２５】
記憶手段４０は、例えば、ＲＯＭ、フラッシュメモリなどを含むもので、各種機能などを実現するためのプログラム、アプリケーション、データなどが格納されている。なお、記憶手段４０は、例えば、ＳＤカード、ＵＳＢメモリなど、着脱自在な可搬型メモリ（記録メディア）を含んでもよく、あるいは、図示しない外部情報処理装置の記憶領域に保存するように構成されたものであってもよい。
【００２６】
表示制御手段（コントローラ）５０は、ＣＰＵ３０と共同して、有機ＥＬパネル１０及び液晶パネル２０の表示を制御するもので、ＣＰＵ３０から出力された表示用信号に応じて、有機ＥＬパネル１０の発光領域Ｄ１及び液晶パネル２０の駆動領域Ｄ２に対する電源６０からの電圧印加のオン／オフを制御する。
【００２７】
また、コントローラ５０は、有機ＥＬパネル１０の個々の画素や、液晶パネル２０の個々のドット、セグメントなどを用いて、文字、記号、簡易図形、模様を表示することができるが、具体的な電圧印加のオン／オフ制御については、一般的なものであるから説明を省略する。
【００２８】
さらに、コントローラ５０は、有機ＥＬパネル１０及び液晶パネル２０に対して白色表示の指示が出力されているか否かを判断する白色表示判断手段５１としても付加的に機能する。白色表示判断手段５１は、ＣＰＵ３０から出力された表示用信号に基づいて、有機ＥＬパネル１０と液晶パネル２０との重ね領域に対する白色表示ＷＨの出力が含まれているか否か（有無）を判断する。なお、ＣＰＵ３０が、コントローラ５０として機能してもよい。
【００２９】
また、表示装置１は、本実施形態において必須ではないが、照度を検出する照度検出手段７０を付加的に備えている。この照度検出手段７０は、図示されないフォトダイオードやアンプなどを有し、表示装置１の周囲の照度ＩＬを検出するものである。
【００３０】
ここで、表示装置１に画像又は模様を表示させる場合について説明する。図５は、実施形態の表示装置１の表示状態を示す概略図である。図５（ａ）は、有機ＥＬパネル１０の表示状態を示す概略図であり、図５（ｂ）は、液晶パネル２０の表示状態を示す概略図であり、図５（ｃ）は、表示装置１の表示状態を示す概略図である。
【００３１】
表示装置１に、例えば、図５（ｃ）のような半円の白色及び半円の黒色で形成され模様が時計回りに１５度程度傾いたものを表示させる場合について説明する。この模様は、ほんの一例に過ぎず、同様な技術思想で、種々の模様を表示することができる。
【００３２】
図５（ｂ）に示すように、液晶パネル２０は、駆動領域Ｄ２の中心Ｃを基準に１５度から１９５度までの範囲に含まれる部分を、電圧を印加するオン状態にする。つまり、この部分は、すべて背面側からの光を透過可能な透過状態ＴＲになっている。
【００３３】
逆に、駆動領域Ｄ２の中心Ｃを基準に１９５度から３７５度（３６０度を超え１５度）までの範囲に含まれる部分を、電圧を印加しないオフ状態にする。つまり、この部分は、白色表示ＷＨと、透明な材料とで形成されている。ただし、図５（ｂ）において、灰色に塗りつぶされた部分は、実際には駆動領域Ｄ２の透過状態ＴＲと、透明な材料の透過状態ＴＲとで形成された部分であり、白色に塗りつぶされた部分は、白色表示ＷＨである。また、１５度と１９５度とを結ぶ直線は、仮想の分割線である。
【００３４】
一方、有機ＥＬパネル１０は、図５（ａ）に示すように、発光領域Ｄ１の中心Ｃを基準に１５度から１９５度までの範囲に含まれる部分を、電圧を印加しないオフ状態にする。つまり、この部分は、黒色表示ＢＬになっている。
【００３５】
逆に、発光領域Ｄ１の中心Ｃを基準に１９５度から３７５度（３６０度を超え１５度）までの範囲に含まれる部分、かつ、非重ね領域に該当する部分（重ね領域に該当しない部分）を、電圧を印加するオン状態にする。つまり、この部分は、白色表示ＷＨになる。
【００３６】
さらに、重ね領域に該当する部分を、電圧を印加しないオフ状態にする。つまり、この部分は、黒色表示ＢＬになっている。ただし、図５（ａ）において、黒色に塗りつぶされた部分は、黒色表示ＢＬであり、白色に塗りつぶされた部分は、白色表示ＷＨである。また、黒色表示ＢＬ又は白色表示ＷＨは、駆動領域ｄ２１のドットや駆動領域ｄ２２のセグメントのようなもので形成されているのではなく、それぞれ、複数の画素で形成されている。
【００３７】
このような表示状態の有機ＥＬパネル１０と液晶パネル２０とを重ね合わせることで、表示装置１では、図５（ｃ）のような模様を表示することができる。すなわち、視認側の液晶パネル２０における透過状態ＴＲの部分は、背面側の有機ＥＬパネル１０の状態をそのまま透過するため、有機ＥＬパネル１０の黒色表示ＢＬは、そのまま、表示装置１の黒色表示ＢＬとなり、有機ＥＬパネル１０の白色表示ＷＨは、そのまま、表示装置１の白色表示ＷＨとなる。また、液晶パネル２０における白色表示ＷＨの部分は、背面側の有機ＥＬパネル１０の黒色表示ＢＬの影響を受けることなく、そのまま、表示装置１の白色表示ＷＨとなる。
【００３８】
つづいて、表示装置１の表示制御動作について説明する。図６は、実施形態の表示装置１の表示制御動作を示すフローチャートである。
【００３９】
まず、スタートにおいて、表示装置１の電源６０を入れて、有機ＥＬパネル１０及び液晶パネル２０を起動し、また、コントローラ５０を起動して、ステップＳ１に進む。
【００４０】
ステップＳ１で、ＣＰＵ３０が表示出力を指示すると、ステップＳ２に進む。
【００４１】
ステップＳ２では、白色表示判断手段５１は、重ね領域に対する白色表示ＷＨ（の出力）の有無を判断する。重ね領域に対する白色表示ＷＨ（の出力）が有る場合（ＹＥＳの場合）は、ステップＳ３に進み、重ね領域に対する白色表示ＷＨ（の出力）が無い場合（ＮＯの場合）は、ステップＳ５に分岐する。
【００４２】
ステップＳ２でＹＥＳの場合、ステップＳ３において、コントローラ５０は、重ね領域における有機ＥＬパネル１０の発光領域Ｄ１をオフ状態にし、ステップＳ４に進む。
【００４３】
ステップＳ４では、コントローラ５０は、重ね領域における液晶パネル２０の駆動領域Ｄ２（ｄ２１，ｄ２２）を白色表示ＷＨにし、ステップＳ１に戻る。
【００４４】
ステップＳ２でＮＯの場合、ステップＳ５において、コントローラ５０は、重ね領域における有機ＥＬパネル１０の発光領域Ｄ１を各色の表示にし、ステップＳ６に進む。
【００４５】
ステップＳ６では、コントローラ５０は、重ね領域における液晶パネル２０の駆動領域Ｄ２（ｄ２１，ｄ２２）を透過状態ＴＲにし、ステップＳ１に戻る。
【００４６】
このようにして、表示装置１は、重ね領域に対する白色表示ＷＨの有無により、有機ＥＬパネル１０及び液晶パネル２０の表示状態を切替えることができる。なお、重ね領域に対する白色表示ＷＨの出力が無い場合や非重ね領域に対して各種表示の出力が有る場合には、透過状態ＴＲにした液晶パネル２０を通して、有機ＥＬパネル１０の発光領域Ｄ１のみで表示を行う。
【００４７】
つぎに、表示装置１が、照度検出手段７０を備える場合に行う、周囲の照度ＩＬに応じた、表示装置１の表示制御動作について説明する。図７は、実施形態の表示装置１の他の表示制御動作を示すフローチャートである。
【００４８】
まず、スタートにおいて、表示装置１の電源６０を入れて、有機ＥＬパネル１０及び液晶パネル２０を起動し、また、コントローラ５０を起動して、ステップＳ１１に進む。
【００４９】
ステップＳ１１で、ＣＰＵ３０が表示出力を指示すると、ステップＳ１２に進む。
【００５０】
ステップＳ１２では、コントローラ５０からの指示により、照度検出手段７０は、周囲の照度ＩＬを検出し、ステップＳ１３に進む。
【００５１】
ステップＳ１３では、コントローラ５０は、照度ＩＬの検出値が所定値以上であるか否かを判定する。検出値が所定値に達していた場合（ＹＥＳの場合）は、ステップＳ１４に進み、検出値が所定値に達していない場合（ＮＯの場合）は、ステップＳ１６に分岐する。
【００５２】
ステップＳ１３でＹＥＳの場合、ステップＳ１４において、コントローラ５０は、有機ＥＬパネル１０の発光領域Ｄ１をオフ状態にし、ステップＳ１５に進む。
【００５３】
ステップＳ１５では、コントローラ５０は、液晶パネル２０の駆動領域Ｄ２を白色表示ＷＨにし、ステップＳ１１に戻る。
【００５４】
ステップＳ１３でＮＯの場合、ステップＳ１６において、コントローラ５０は、有機ＥＬパネル１０の発光領域Ｄ１を白色表示ＷＨにし、ステップＳ１７に進む。
【００５５】
ステップＳ１７では、コントローラ５０は、液晶パネル２０の駆動領域Ｄ２を透過状態ＴＲにし、ステップＳ１１に戻る。
【００５６】
このようにして、表示装置１は、周囲の照度ＩＬに応じて、有機ＥＬパネル１０及び液晶パネル２０の表示状態を切替えることもできる。例えば、表示装置１で時計機能を使用しているときに、周囲が明るい場合には、輝度の低い有機ＥＬパネル１０でなく、液晶パネル２０（の駆動領域ｄ２２）を用いて、時刻の白色表示ＷＨを行うことで、低消費電力を実現することができる。このとき、液晶パネル２０は、周囲の光を液晶層ＣＬで拡散又は散乱させるため、視認性にも問題が発生しない。
【００５７】
逆に、周囲が暗い場合には、液晶層ＣＬで拡散又は散乱させる光が十分な強さでないため、液晶パネル２０ではなく、有機ＥＬパネル１０（において、液晶パネル２０の駆動領域ｄ２２に重なる発光領域Ｄ１）を用いて、時刻の白色表示ＷＨを行うことで、視認性を向上させることができる。
【００５８】
以上、説明したとおり、本実施形態の表示装置１は、発光機能を有する第１の表示手段（有機ＥＬパネル）１０と、第１の表示手段１０の視認側に重ねて配置され、電界を制御することにより、白色表示ＷＨが可能な第２の表示手段（液晶パネル）２０と、第１の表示手段１０の発光領域Ｄ１と第２の表示手段２０の駆動領域Ｄ２（ｄ２１，ｄ２２）とが重ねて配置された重ね領域で、白色表示ＷＨを行う場合、第１の表示手段１０の発光領域Ｄ１をオフ状態にし、第２の表示手段２０の駆動領域Ｄ２（ｄ２１，ｄ２２）で白色表示ＷＨを行うように制御する表示制御手段５０と、を備えるものである。これにより、第１の表示手段１０と第２の表示手段２０とが重ねて配置された重ね領域であれば、電力を消費する第１の表示手段１０をオフ状態として、電力を消費しない第２の表示手段２０の駆動領域Ｄ２（ｄ２１，ｄ２２）で白色表示ＷＨを行うことができるため、表示装置１全体としては低消費電力化を実現することができる。
【００５９】
実施形態では、第１の表示手段１０は、発光性の有機化合物を含む有機発光層ＬＬを有し、第２の表示手段２０は、高分子分散型液晶を含む液晶層ＣＬを有する。これにより、第１の表示手段１０は、発光性の有機化合物を選択することで白色を含む各色を表示することができ、第２の表示手段２０は、オフ状態では、液晶層ＣＬが光を拡散し、オン状態では、液晶層ＣＬが光を透過させることができる。
【００６０】
実施形態では、表示制御手段（コントローラ）５０は、第１の表示手段１０の発光領域Ｄ１に、第２の表示手段２０の駆動領域Ｄ２が重ねて配置されていない非重ね領域で白色表示ＷＨを行う場合、第１の表示手段１０の発光領域Ｄ１で白色表示ＷＨを行うように制御する。これにより、重ね領域以外の非重ね領域では、第１の表示手段１０をオン状態として白色表示ＷＨを行うことができるため、表示装置１全体として白色表示ＷＨを行うことができる。
【００６１】
実施形態では、表示装置１は、照度ＩＬを検出する照度検出手段７０を備え、表示制御手段５０は、照度検出手段７０により検出された照度ＩＬが、所定値以上である場合、第１の表示手段１０の発光領域Ｄ１をオフ状態にし、第２の表示手段２０の駆動領域Ｄ２で白色表示ＷＨを行うように制御する。これにより、表示装置１の周囲の照度ＩＬに応じて、第１の表示手段１０の発光領域Ｄ１をオフ状態にし、第２の表示手段２０の駆動領域Ｄ２で白色表示ＷＨを行うことができる。
【００６２】
実施形態では、表示制御手段５０は、照度検出手段７０により検出された照度ＩＬが、所定値未満である場合、第１の表示手段１０の発光領域Ｄ１で白色表示ＷＨを行い、第２の表示手段２０の駆動領域Ｄ２を透過状態ＴＲにするように制御する。これにより、表示装置１の周囲の照度ＩＬに応じて、第２の表示手段２０の駆動領域Ｄ２を透過状態ＴＲにして、第１の表示手段１０の発光領域Ｄ１で白色表示ＷＨを透過させることができる。
【００６３】
以上、本発明の好ましい実施形態について詳述したが、本発明に係る表示装置、表示装置の制御方法及びプログラムは、上述した実施形態に限定されるものではなく、特許請求の範囲に記載された本発明の要旨の範囲内において、種々の変形、変化が可能である。
【００６４】
（変形例）
上記実施形態では、表示装置１は、周囲の照度ＩＬに応じて、有機ＥＬパネル１０及び液晶パネル２０の表示状態を自動的に切替えたが、押しボタンなどを押すことで、マニュアルで切替えるようにしてもよい。
【００６５】
また、有機ＥＬパネル１０は、ＲＧＢ各色の有機発光層ＬＬを有したが、更に白色の有機発光層ＬＬを有してもよい。
【００６６】
また、以下に、この出願の願書に最初に添付した特許請求の範囲に記載した発明を付記する。付記に記載した請求項の項番は、この出願の願書に最初に添付した特許請求の範囲のとおりである。
＜請求項１＞
発光機能を有する第１の表示手段と、
前記第１の表示手段の視認側に重ねて配置され、電界を制御することにより、白色表示が可能な第２の表示手段と、
前記第１の表示手段の発光領域と前記第２の表示手段の駆動領域とが重ねて配置された重ね領域で、白色表示を行う場合、前記第１の表示手段の前記発光領域をオフ状態にし、前記第２の表示手段の前記駆動領域で白色表示を行うように制御する表示制御手段と、を備える、
ことを特徴とする表示装置。
＜請求項２＞
前記第１の表示手段は、発光性の有機化合物を含む有機発光層を有し、
前記第２の表示手段は、高分子分散型液晶を含む液晶層を有する、
ことを特徴とする請求項１に記載の表示装置。
＜請求項３＞
前記表示制御手段は、前記第１の表示手段の発光領域に、前記第２の表示手段の駆動領域が重ねて配置されていない非重ね領域で白色表示を行う場合、前記第１の表示手段の発光領域で白色表示を行うように制御する、
ことを特徴とする請求項１又は２に記載の表示装置。
＜請求項４＞
照度を検出する照度検出手段を備え、
前記表示制御手段は、
前記照度検出手段により検出された照度が、所定値以上である場合、前記第１の表示手段の前記発光領域をオフ状態にし、前記第２の表示手段の前記駆動領域で白色表示を行うように制御する、
ことを特徴とする請求項１から３までのいずれか１項に記載の表示装置。
＜請求項５＞
前記表示制御手段は、前記照度検出手段により検出された照度が、所定値未満である場合、前記第１の表示手段の前記発光領域で白色表示を行い、前記第２の表示手段の前記駆動領域を透過状態にするように制御する、
ことを特徴とする請求項４に記載の表示装置。
＜請求項６＞
第１の表示手段と、前記第１の表示手段の視認側に重ねて配置された第２の表示手段と、を備える表示装置の制御方法であって、
前記第１の表示手段は、発光機能を有するものであり、
前記第２の表示手段は、電界を制御することにより、白色表示が可能なものであり、
表示制御手段は、
前記第１の表示手段の発光領域と前記第２の表示手段の駆動領域とが重ねて配置された重ね領域で、白色表示を行う場合、前記第１の表示手段の前記発光領域をオフ状態にし、前記第２の表示手段の前記駆動領域で白色表示を行うように制御する、
ことを特徴とする表示装置の制御方法。
＜請求項７＞
第１の表示手段と、前記第１の表示手段の視認側に重ねて配置された第２の表示手段と、を備える表示装置の制御用のプログラムであって、
前記第１の表示手段は、発光機能を有するものであり、
前記第２の表示手段は、電界を制御することにより、白色表示が可能なものであり、
コンピュータに、
前記第１の表示手段の発光領域と前記第２の表示手段の駆動領域とが重ねて配置された重ね領域で、白色表示を行う場合、前記第１の表示手段の前記発光領域をオフ状態にし、前記第２の表示手段の前記駆動領域で白色表示を行うように制御する制御機能、を実現させる、
ことを特徴とするプログラム。
【符号の説明】
【００６７】
１      表示装置
１０    有機ＥＬパネル（第１の表示手段）
Ｄ１  発光領域、ＬＬ    有機発光層
２０    液晶パネル（第２の表示手段）
Ｄ２，ｄ２１，ｄ２２  駆動領域、ＣＬ  液晶層
３０    ＣＰＵ（中央演算処理装置）
４０    記憶手段
５０    コントローラ（表示制御手段）、５１  白色表示判断出段
６０    電源
７０    照度検出手段、ＩＬ    照度
ＷＨ    白色表示、ＢＬ  黒色表示、ＴＲ  透過状態
【図１】
2019117268.tif 000003
【図２】
2019117268.tif 000004
【図３】
2019117268.tif 000005
【図４】
2019117268.tif 000006
【図５】
2019117268.tif 000007
【図６】
2019117268.tif 000008
【図７】
2019117268.tif 000009